(57)【要約】【課題】操作荷重が重くならず遮蔽材を円滑に開閉させることの可能な遮蔽材の開閉停止機構を提供する。【解決手段】スクリーン１１０の開閉停止機構は、ボトムレール１２０の長尺方向の端部には磁石１２２が設けられ、ガイドレール１３０には、第１磁性体１３４が設けられ、ボトムレール１２０とガイドレール１３０とが、磁石１２２及び第１磁性体１３４により吸着されることを特徴とする。かかる構成によれば、スクリーン１１０の端部に配置されたボトムレール１２０の一端部にのみ、磁石１２２を内蔵し、ガイドレール１３０と吸着するようにした。スクリーン１１０は非磁性材料からなりガイドレール１３０と吸着しない。このようにして、操作荷重が重くならず遮蔽材を円滑に開閉させることができる。【選択図】図１
2018131874.tif 000002
【特許請求の範囲】
【請求項１】
非磁性材料からなり開閉可能な遮蔽材と、前記遮蔽材の開閉方向の端部に設けられる可動部材と、前記可動部材が挿入されて前記可動部材を開閉方向に案内するガイドレールと、を備える遮蔽材の開閉停止機構であって、
前記可動部材の長尺方向の少なくとも一端部には、磁石又は磁性体で構成される可動部材側磁力部が設けられ、
前記ガイドレールには、磁石又は磁性体で構成されるガイドレール側磁力部が設けられ、
前記可動部材と前記ガイドレールとが、前記可動部材側磁力部及び前記ガイドレール側磁力部により吸着されることを特徴とする、遮蔽材の開閉停止機構。
【請求項２】
前記ガイドレールは非磁性材料からなり、
前記ガイドレールには、前記ガイドレール側磁力部が長手方向の所定箇所に設けられることを特徴とする、請求項１に記載の遮蔽材の開閉停止機構。
【請求項３】
前記可動部材には操作部材が取着されており、
前記可動部材と前記ガイドレールとが吸着した状態で前記操作部材を傾倒させると、前記可動部材側磁力部が連動して傾倒することで、前記可動部材と前記ガイドレールとの吸着が解除されることを特徴とする、請求項１又は２に記載の遮蔽材の開閉停止機構。
【請求項４】
前記ガイドレール内には、前記ガイドレール側磁力部を保持する保持部が前記ガイドレールの長手方向に沿って設けられることを特徴とする、請求項１〜３のいずれかに記載の遮蔽材の開閉停止機構。
【請求項５】
前記ガイドレール側磁力部は、前記保持部の先端部よりも前記可動部材が挿入される空間の方向に突出することを特徴とする、請求項４に記載の遮蔽材の開閉停止機構。
【請求項６】
前記保持部は、前記ガイドレール内の前記可動部材が挿入される空間に対して対称位置に２か所設けられることを特徴とする、請求項４又は５に記載の遮蔽材の開閉停止機構。
【請求項７】
前記可動部材の少なくとも一端部には、非磁性体からなるキャップが固定され、
前記キャップには、前記可動部材側磁力部が内蔵されることを特徴とする、請求項１〜６のいずれかに記載の遮蔽材の開閉停止機構。
【請求項８】
前記ガイドレールの長手方向の端部には、磁石又は磁性体で構成される遮蔽材閉塞用磁力部が前記ガイドレールの長手方向に直交して配置され、
前記可動部材が閉塞位置に到達すると、前記可動部材と前記ガイドレールとが、前記遮蔽材閉塞用磁力部により吸着されることを特徴とする、請求項１〜７のいずれかに記載の遮蔽材の開閉停止機構。
【請求項９】
前記可動部材の少なくとも一端部には、非磁性体からなるキャップが固定され、
前記キャップには、前記可動部材側磁力部と前記可動部材側磁力部に吸着される補助磁力部とが内蔵され、
前記キャップの遮蔽材閉塞側端面には、前記補助磁力部が突出する補助磁力部用開口部が設けられ、
前記可動部材が閉塞位置に到達すると、前記補助磁力部が前記遮蔽材閉塞用磁力部と吸着することを特徴とする、請求項８に記載の遮蔽材の開閉停止機構。
【請求項１０】
前記補助磁力部は前記キャップ内において遮蔽材の開閉方向に摺動自在に保持されており、
前記可動部材が閉塞位置に到達すると、前記補助磁力部は前記キャップの内方に移動することを特徴とする、請求項９に記載の遮蔽材の開閉停止機構。
【発明の詳細な説明】
【技術分野】
【０００１】
本発明は、遮蔽材の開閉停止機構に関する。
【背景技術】
【０００２】
従来の遮蔽材の開閉停止機構としては、特開昭４７−４５０４３号公報（特許文献１）に示されるものがある。同文献には、左右両側に設置したガイドレール部材にマグネット部材を装着した吸着体を取付け、鉄分を含む一枚のステンレス製シャッターの両側端縁部に取付けた突起部材が、ガイドレール内の中空部分を降下したとき、シャッターがマグネット吸着体により吸引固定されることが開示されている。
【０００３】
これによれば、シャッターは一枚のステンレスの薄板で形成されるため、軽量で摩擦がほとんど発生することなく操作性に優れ、シャッターを降ろしたとき、吸着体によって吸引固定されることで、風に煽られて騒音を発生することがないという効果を有する。
【先行技術文献】
【特許文献】
【０００４】
【特許文献１】特開昭４７−４５０４３号公報
【発明の概要】
【発明が解決しようとする課題】
【０００５】
しかしながら、上記従来技術では、シャッターに鉄分が含まれているため、シャッターの昇降時には、シャッターの両側端部がマグネット吸着体に吸引される状態となることで、上昇時にシャッターの左右両側端部のバランスが崩れて巻乱れ易く、また操作荷重も重くなり、シャッターを円滑に昇降させることが困難であるという課題があった。
【０００６】
そこで本発明は、このような問題に鑑みてなされたもので、その目的とするところは、操作荷重が重くならず遮蔽材を円滑に開閉させることの可能な遮蔽材の開閉停止機構を提供することにある。
【課題を解決するための手段】
【０００７】
上記課題を解決するために、本発明によれば、非磁性材料からなり開閉可能な遮蔽材と、前記遮蔽材の開閉方向の端部に設けられる可動部材と、前記可動部材が挿入されて前記可動部材を開閉方向に案内するガイドレールと、を備える遮蔽材の開閉停止機構であって、前記可動部材の長尺方向の少なくとも一端部には、磁石又は磁性体で構成される可動部材側磁力部が設けられ、前記ガイドレールには、磁石又は磁性体で構成されるガイドレール側磁力部が設けられ、前記可動部材と前記ガイドレールとが、前記可動部材側磁力部及び前記ガイドレール側磁力部により吸着されることを特徴とする、遮蔽材の開閉停止機構が提供される。
【０００８】
かかる構成によれば、遮蔽材の端部に配置された可動部材の少なくとも一端部に、可動部材側磁力部（磁石あるいは磁性体）を内蔵し、ガイドレールと吸着するようにした。遮蔽材は非磁性材料からなりガイドレールと吸着しない。このようにして、操作荷重が重くならず遮蔽材を円滑に開閉させることができる。
【０００９】
本発明は様々な応用が可能である。以下の応用例は適宜組み合わせることが可能である。
例えば、前記ガイドレールは非磁性材料からなり、前記ガイドレールには、前記ガイドレール側磁力部が長手方向の所定箇所に設けられるようにしてもよい。ガイドレールを非磁性材料とし、開閉する可動部材側磁力部と対向する位置にのみ、ガイドレール側磁力部を配置したため、可動部材の停止位置を任意に設定することができる。
【００１０】
また、前記可動部材には操作部材が取着されており、前記可動部材と前記ガイドレールとが吸着した状態で前記操作部材を傾倒させると、前記可動部材側磁力部が連動して傾倒することで、前記可動部材と前記ガイドレールとの吸着が解除されるようにしてもよい。遮蔽材を開閉するために操作部材を傾倒させると、可動部材とガイドレールとの吸着を解除できるため、遮蔽材を開閉可能な状態に容易に移行できる。
【００１１】
前記ガイドレール内には、前記ガイドレール側磁力部を保持する保持部が前記ガイドレールの長手方向に沿って設けられるようにしてもよい。ガイドレール内に長手方向に沿って保持部（例えば、溝状の保持溝など）を設けることで、ガイドレール側磁力部を保持部に保持させる（例えば、保持溝に差し込む）だけでガイドレール内に配置することができる。
【００１２】
前記ガイドレール側磁力部は、前記保持部の先端部よりも前記可動部材が挿入される空間の方向に突出するようにしてもよい。ガイドレール側磁力部を保持部の先端部よりも突出させることで、可動部材との間の吸着力を安定的なものとすることができる。
【００１３】
前記保持部は、前記ガイドレール内の前記可動部材が挿入される空間に対して対称位置に２か所設けられるようにしてもよい。可動部材の両端で同じ構成を採用する際に、ガイドレール内の保持部の構成を共通にすることができ、部品の種類を減らせる。また、第１磁性体１３４を保持する側の保持部１３０ｂを手前側と奥側で選択できるようにすることで、磁石１２２と第１磁性体１３４の距離を変化させて磁力の強弱を調整することで、製品サイズに応じた吸着力を選択することができる。
【００１４】
前記可動部材の少なくとも一端部には、非磁性体からなるキャップが固定され、前記キャップには、前記可動部材側磁力部が内蔵されるようにしてもよい。キャップ内の可動部材側磁力部がキャップを介してガイドレール側磁力部と吸着するため、開閉時に非磁性体のキャップがガイドレール側磁力部に接触しながら開閉することになり、吸着力を受けながらも操作力が軽減される。
【００１５】
前記ガイドレールの長手方向の端部には、磁石又は磁性体で構成される遮蔽材閉塞用磁力部が前記ガイドレールの長手方向に直交して配置され、前記可動部材が閉塞位置に到達すると、前記可動部材と前記ガイドレールとが、前記遮蔽材閉塞用磁力部により吸着されるようにしてもよい。ガイドレールの端部におけるガイドレール側磁力部が配置される面と直交する面に、第２の磁力部である遮蔽材閉塞用磁力部を設けることで、遮蔽材を閉塞位置に確実に保持することができる。
【００１６】
前記可動部材の少なくとも一端部には、非磁性体からなるキャップが固定され、前記キャップには、前記可動部材側磁力部と前記可動部材側磁力部に吸着される補助磁力部とが内蔵され、前記キャップの遮蔽材閉塞側端面には、前記補助磁力部が突出する補助磁力部用開口部が設けられ、前記可動部材が閉塞位置に到達すると、前記補助磁力部が前記遮蔽材閉塞用磁力部と吸着するようにしてもよい。可動部材側磁力部に吸着される補助磁力部が、キャップの補助磁力部用開口部から突出するように配置されるため、遮蔽材の閉塞位置における遮蔽材閉塞用磁力部との吸着を確実なものとすることができ、吸着の解除も容易になる。
【００１７】
前記補助磁力部は前記キャップ内において遮蔽材の開閉方向に摺動自在に保持されており、前記可動部材が閉塞位置に到達すると、前記補助磁力部は前記キャップの内方に移動するようにしてもよい。可動部材が閉塞位置に到達したときに補助磁力部がキャップの内方に移動できるため、可動部材を固定面（閉塞側面）により接近させて吸着させることができ、閉塞位置における固定面との隙間の発生を防止し、ボトムレールの両端を閉塞位置にて確実に吸着させることができる。
【発明の効果】
【００１８】
本発明によれば、操作荷重が重くならず遮蔽材を円滑に開閉させることの可能な遮蔽材の開閉停止機構を提供することができる。本発明のその他の効果については、後述する発明を実施するための形態においても説明する。
【図面の簡単な説明】
【００１９】
【図１】ロールスクリーン１００の全体の概略的な構成を示す正面図である。
【図２】図１のＡ−Ａ断面図である。
【図３】ボトムレールとボトムレール緩衝材の構成を説明するための図であり、（ａ）はボトムレールが開閉途中のときのボトムレール緩衝材の状態を示す断面図であり、（ｂ）はボトムレールが窓枠の底部に当接したときのボトムレール緩衝材の状態を示す断面図である。
【図４】キャップの構成を説明するための図である。
【図５】キャップの構成を説明するための図であり、（ａ）はキャップの水平方向の断面図であり、（ｂ）はキャップの垂直方向の断面図である。
【図６】キャップ、磁石及び継鉄の構成を説明するための図であり、（ａ）は磁石と継鉄が下降している状態を示す断面図であり、（ｂ）は磁石と継鉄が上昇している状態を示す断面図である。
【図７】ガイドレールを説明するための図であり、（ａ）は図２のＢ−Ｂ断面図であり、（ｂ）は図２のＣ−Ｃ断面図である。
【図８】ボトムレールの昇降に応じた磁石と継鉄の動作を説明するための図であり、（ａ）はボトムレールがガイドレールの途中で停止している状態を示す断面図であり、（ｂ）はボトムレールを下降させている状態を示す断面図であり、（ｃ）はボトムレールがガイドレール底部まで移動した状態を示す断面図である。
【図９】スクリーンの開閉動作を説明するための図であり、（ａ）はスクリーン開閉途中の状態を示す正面図であり、（ｂ）はスクリーンを最も開放した状態を示す正面図である。
【発明を実施するための形態】
【００２０】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２１】
本発明の一実施形態について説明する。本発明の遮蔽材の開閉停止機構は、ロールスクリーン、プリーツスクリーン、ハニカムスクリーン、横型ブラインド、上下方向に開閉するブラインドや左右方向に開閉するブラインドなど各種ブラインド（遮蔽材を有する各種のもの）に適用することができるが、本実施形態では、ロールスクリーンを例にとって説明する。まず、本実施形態の遮蔽材の開閉停止機構を適用したロールスクリーン１００の全体の構成について、図１及び図２を参照しながら説明する。図１は本実施形態のロールスクリーン１００の全体の概略的な構成を示す正面図である。図２は図１のＡ−Ａ断面図である。
【００２２】
ロールスクリーン１００に適用される遮蔽材の開閉停止機構は、図１に示したように、非磁性材料からなり開閉可能なスクリーン（遮蔽材）１１０と、スクリーン１１０の開閉方向の端部に設けられるボトムレール（可動部材）１２０と、スクリーン１１０及びボトムレール１２０が挿入されてボトムレールを案内するガイドレール１３０と、を備え、ボトムレール１２０の長尺方向の少なくとも一端部と、ガイドレール１３０とが磁力により吸着されて構成される。以下、遮蔽材の開閉停止機構が適用されたロールスクリーン１００の各構成について詳細に説明する。
【００２３】
（スクリーン１１０）
スクリーン１１０は、窓枠ＷＦなどの開口部を閉鎖したり開放したりする遮蔽材である。スクリーン１１０は、ポリエステルなどの非磁性材料からなり、図１に示したように、後述するヘッドボックス１４０から垂下している。スクリーン１１０の上端は、図２に示したように、ヘッドボックス１４０内の巻取パイプ１４４に巻取り及び巻き解き可能に連結されている。スクリーン１１０の下端はボトムレール１２０に連結されている。スクリーン１１０の両側端部は、ガイドレール１３０内に挿入されており、ガイドレール１３０に沿って開閉する。
【００２４】
（ボトムレール１２０）
ボトムレール１２０は、スクリーン１１０の開閉を操作するものである。ボトムレール１２０は、図１に示したように、スクリーン１１０の下端に設けられている。ボトムレール１２０の両端にはキャップ１２１が設けられており、キャップ１２１はガイドレール１３０に挿入されている。キャップ１２１は非磁性材料からなり、キャップ１２１には、磁石１２２が内蔵されている。ボトムレール１２０の室内側の面の中央には、ボトムレール１２０を操作するグリップ（操作部材）１２３が設けられている。
【００２５】
スクリーン１１０の下端は、ボトムレール１２０とキャップ１２１に連結されている。スクリーン１１０の下端には、図２に示したように、スクリーン固定片１１２が取り付けられており、スクリーン固定片１１２がボトムレール１２０内に係止される。よって、ボトムレール１２０とスクリーン１１０とが連結される。キャップ１２１とスクリーン１１０との連結も、ボトムレール１２０とスクリーン１１０との連結と同様に行われる。
【００２６】
ボトムレール１２０には、図２に示したように、ボトムレール１２０と窓枠ＷＦの底部との隙間を塞ぐボトムレール緩衝材１２４がボトムレール１２０の長さ方向全長にわたって設けられている。ボトムレール緩衝材１２４は、ボトムレール１２０に対して上下方向に移動可能である。ボトムレール１２０は、図３に示したように、ボトムレール緩衝材１２４の後述する移動部１２４ａを収容する断面方形状の緩衝材収容部１２０ａと、ボトムレール緩衝材１２４の後述するシール部１２４ｂを導出する導出口１２０ｂと、を備える。
【００２７】
ボトムレール緩衝材１２４は、図３（ａ）に示したように、ボトムレール１２０の緩衝材収容部１２０ａに移動可能に嵌め合わされる移動部１２４ａと、ボトムレール１２０の導出口１２０ｂから下方に導出されるシール部１２４ｂとを備える。移動部１２４ａは断面方形状であり、シール部１２４ｂは、移動部１２４ａの底部から下方に延びる薄板状である。シール部１２４ｂは、図３（ｂ）に示したように、弾性変形可能であり、ボトムレール１２０が最も下降したときに窓枠ＷＦの底部に余裕をもって当接する大きさである。
【００２８】
キャップ１２１は、非磁性材料からなり、図４に示したように、ボトムレール１２０の端部面と同じ形状の基部１２１ａと、ガイドレール１３０に挿入される挿入部１２１ｂとを備えて構成される。基部１２１ａは、ボトムレール１２０の端部面にねじ１２５によって取り付けられる。基部１２１ａは、図５（ａ）に示したように、ガイドレール１３０の後述する挿入口１３０ａよりも幅太であり、ガイドレール１３０に挿入されない。挿入部１２１ｂは、基部１２１ａに続いて形成されており、基部１２１ａよりも幅細であり、挿入口１３０ａからガイドレール１３０内に挿入される。
【００２９】
挿入部１２１ｂの一方の側面の先端下部には、図４に示したように、方形状の開口部１２１ｃが設けられており、開口部１２１ｃからキャップ１２１内に収容された磁石１２２の一部が露出する。磁石１２２は、後述するガイドレール１３０の第１磁性体１３４とはキャップ１２１を介して吸着するが、開口部１２１ｃによって第１磁性体１３４に当接するキャップ１２１の部分が少なくなるため、磁力の強弱に変化を与えることなく当接面を小さくすることで、操作時の摺接音の発生や操作荷重を軽減する。
【００３０】
キャップ１２１内には、図５（ａ）、（ｂ）に示したように、磁石１２２と磁石１２２に吸着して固定された継鉄（補助磁力部）１２６とを収容する収容部１２１ｄが形成されている。収容部１２１ｄは、磁石１２２と継鉄１２６との前後左右方向の移動は規制するが、上下方向には一定範囲で移動できる大きさに構成されている。挿入部１２１ｂの底部（遮蔽材閉塞側端面）には、図６（ａ）、（ｂ）に示したように、継鉄１２６の下端が移動可能に突出する継鉄用開口部（補助磁力部用開口部）１２１ｅが設けられている。
【００３１】
磁石１２２は、方形状の薄板であり、収容部１２１ｄの開口部１２１ｃ寄りに配置される。継鉄１２６は、鉄で構成されており、磁石１２２の磁力を後述するガイドレール１３０の第２磁性体（遮蔽材閉塞用磁力部）１３６に伝えるものである。継鉄１２６は、一方の辺が磁石１２２の上面に吸着して固定され、他方の辺が磁石１２２の背面に吸着して固定されて下端が磁石１２２の底面から突出して構成されるようにするために、Ｌ字形の薄い板状に形成されている。磁石１２２と継鉄１２６とは収容部１２１ｄ内においてスクリーン１１０の開閉方向に摺動自在に保持されている。図６（ａ）、（ｂ）に示したように、磁石１２２と継鉄１２６の位置によって継鉄１２６の継鉄用開口部１２１ｅからの突出量が変わる。
【００３２】
（ガイドレール１３０）
ガイドレール１３０は、ボトムレール１２０が挿入されてボトムレール１２０を開閉方向である上下方向に案内するものである。ガイドレール１３０は、非磁性材料からなり、図１に示したように、窓枠ＷＦの左右に配置される側枠に沿って、ヘッドボックス１４０の下部から窓枠ＷＦの底部にかけて配置されている。図２に示したように、ガイドレール１３０とヘッドボックス１４０とはガイドレールキャップ１３１によって連結されており、ガイドレール１３０とヘッドボックス１４０との間から室内に光が入ることが防止されている。
【００３３】
ガイドレール１３０には、スクリーン１１０及びキャップ１２１の挿入部１２１ｂが挿入される挿入口１３０ａが長手方向全長にわたって形成されている。ガイドレール１３０は、挿入口１３０ａから挿入されたスクリーン１１０とキャップ１２１の移動を案内する。挿入口１３０ａには、前後一対のモヘヤによって構成される第１隙間防止材１３２が全長にわたって設けられている。第１隙間防止材１３２は弾性変形しやすいモヘヤによって構成されるため、スクリーン１１０及びキャップ１２１の移動に応じてモヘヤが変形する。よって、スクリーン１１０及びキャップ１２１と第１隙間防止材１３２との間で発生する摩擦が少なく済み、スクリーン１１０及びキャップ１２１をスムーズに移動させることができる。また、第１隙間防止材１３２は、モヘヤを厚く配して構成されるため、スクリーン１１０及びキャップ１２１と挿入口１３０ａとを隙間無く塞ぐことができる。
【００３４】
ガイドレール１３０内には、図１に示したように、磁石１２２が吸着する第１磁性体１３４が長手方向全長にわたって設けられている。第１磁性体１３４は、図７（ａ）に示したように、断面六角形の棒状の部材（シャフト）で構成されている。また、ガイドレール１３０の窓枠ＷＦと対向する面には、第２隙間防止材１３５が設けられている。第２隙間防止材１３５は、ガイドレール１３０と窓枠ＷＦとの隙間を塞ぐ平板状の部材である。
【００３５】
ガイドレール１３０内には、図７（ａ）に示したように、第１磁性体１３４を保持するための保持部１３０ｂと、第１隙間防止材１３２を取り付けるための取付け部１３０ｃと、ガイドレール１３０をガイドレールキャップ１３１にねじ止めするためのねじ穴１３０ｄとが、長さ方向全長にわたって形成されている。保持部１３０ｂ、取付け部１３０ｃ、及びねじ穴１３０ｄは、ガイドレール１３０内のキャップ１２１が挿入される空間ＳＰに対して対称位置に２か所設けられる。このため、窓枠ＷＦの左右の側枠のどちらにも共通のガイドレール１３０を用いることができるとともに、第１磁性体１３４を保持する側の保持部１３０ｂをガイドレール１３０内の手前側と奥側で選択することができる。第１磁性体１３４を保持する側の保持部１３０ｂとして手前側を選択した場合、磁石１２２と第１磁性体１３４の距離が近づいて磁力を強めることができ、製品サイズが大きなものに適している。一方、第１磁性体１３４を保持する側の保持部１３０ｂとして奥側を選択した場合、磁石１２２と第１磁性体１３４との間に継鉄１２６が介在されており、手前側の保持部１３４ｂに保持させたときと比較して距離が離れて磁力を弱めることができ、製品サイズが小さなものに適している。
【００３６】
保持部１３０ｂは、図７（ａ）に示したように、先端が互いに近づく対向する２つの片によって構成されている。保持部１３０ｂは、２つの片の先端の間から第１磁性体１３４の一部がキャップ１２１の方向に突出するように、２つの片の間に構成される溝に第１磁性体１３４を保持する。突出する第１磁性体１３４の一部は、図７（ｂ）に示したように、第１磁性体１３４が前述のように六角形状であるため、一辺が磁石１２２と平行に配置される。このため、磁石１２２と第１磁性体１３４との吸着が安定的なものとなる。
【００３７】
取付け部１３０ｃは、図７（ａ）に示したように、挿入口１３０ａの近傍に設けられた溝であり、第１隙間防止材１３２の一端に連結された取付け部材１３３の両端部が溝に嵌め合わされて取り付けられる。取付け部１３０ｃは、ガイドレール１３０の奥に向かって斜めに形成されているため、第１隙間防止材１３２も奥に向かって斜めに配置される。ねじ穴１３０ｄは、取付け部１３０ｃに続いて形成されている。
【００３８】
ガイドレール１３０内には、前述のようにスクリーン１１０とキャップ１２１とが挿入される。ガイドレール１３０内に挿入されたスクリーン１１０は、図７（ａ）に示したように、第１磁性体１３４から離間した位置に配されており、前後の面に第１隙間防止材１３２の先端が当接して光漏れが防止されている。また、ガイドレール１３０内に挿入されたキャップ１２１は、図７（ｂ）に示したように、磁石１２２が第１磁性体１３４と対面してキャップ１２１を介して吸着している。第１隙間防止材１３２は、キャップの１２１の厚み分だけ変形してキャップ１２１の前後の面に当接し、光漏れが防止されている。
【００３９】
磁石１２２と第１磁性体１３４とは、図８（ａ）に示したように、キャップ１２１を介して吸着している。このように、磁石１２２と第１磁性体１３４とは、キャップ１２１を介して吸着されるため、吸着時の接触音や操作時の摺接音の発生及び操作荷重を軽減することができる。ボトムレール１２０を停止しているときには、磁石１２２と第１磁性体１３４とはほぼ平行に配置される。また、磁石１２２及び継鉄１２６は、ボトムレール１２０が閉塞位置にないときは、収容部１２１ｄ内で最も下降した状態になっている。
【００４０】
ボトムレール１２０を動かすときには、図８（ｂ）に示したように、グリップ１２３を持って操作するが、このときグリップ１２３は若干引き下げられるようになるため、第１磁性体１３４に対して磁石１２２が傾倒し、吸着が解除できる。よって、スクリーン１１０を開閉可能な状態に容易に移行できる。
【００４１】
ガイドレール１３０の長手方向の端部である底部１３０ｅには、図８（ｃ）に示したように、キャップ１２１の磁石１２２及び継鉄１２６と対向する位置に第２磁性体１３６が設けられている。第２磁性体１３６の上面は、底部１３０ｅの上面よりも若干窪んだ状態となるように配置されている。第２磁性体１３６は、キャップ１２１の継鉄用開口部１２１ｅから上下方向に摺動自在に下方に突出する継鉄１２６と吸着する。
【００４２】
ボトムレール１２０が閉塞位置に到達したときには、継鉄１２６が第２磁性体１３６に当接して磁石１２２と一体に収容部１２１ｄに押し上げられる。継鉄１２６が第２磁性体１３６に当接して押し上げられる構成であるため、ボトムレール１２０と第２磁性体１３６との間に形成される隙間に製品による個体差あるいは製品が取付けられる開口部の左右に微妙なレベル差があっても、継鉄１２６の突出量が変更自在であるため、継鉄１２６と第２磁性体１３６とを確実に吸着させることができる。
【００４３】
（ヘッドボックス１４０）
ヘッドボックス１４０は、スクリーン１１０を開閉可能に支持する支持部材である。ヘッドボックス１４０は、図１に示したように、ブラケット１４２を介して窓枠ＷＦに固定されている。また、ヘッドボックス１４０内には、図２に示したように、スクリーン１１０の上端が巻取り及び巻き解き可能に連結されている巻取パイプ１４４が回転可能に設けられている。巻取パイプ１４４は図示していないスプリングによってスクリーン１１０を巻き取る方向に付勢されている。
【００４４】
ヘッドボックス１４０の屋外側の上端には、隙間防止材である上部モヘヤ１４６が設けられている。上部モヘヤ１４６の先端は窓枠ＷＦに当接し、ヘッドボックス１４０と窓枠ＷＦとの隙間を塞ぐ。また、ヘッドボックス１４０の屋外側の下端にも隙間防止材である下部モヘヤ１４８が設けられている。下部モヘヤ１４８の先端はスクリーン１１０に当接して、ヘッドボックス１４０とスクリーン１１０との隙間を塞ぐ。
【００４５】
以上、本実施形態のロールスクリーン１００の構成について説明した。次に、ロールスクリーン１００の動作について、図９を参照しながら説明する。図９は、ロールスクリーン１００の動作を説明するための図であり、（ａ）はスクリーン１１０の開閉途中の状態を示す正面図であり、（ｂ）はスクリーン１１０を開放した状態を示す正面図である。
【００４６】
ロールスクリーン１００は、図９（ａ）に示したように、スクリーン１１０の両端とボトムレール１２０の両端とが、ガイドレール１３０に案内されて移動する。スクリーン１１０を停止させるときには、ボトムレール１２０の磁石１２２がガイドレール１３０の第１磁性体１３４と吸着してスクリーン１１０を停止させるため、図９（ａ）に示した開閉途中の位置でも、図９（ｂ）に示した解放させた位置でも操作を止めた任意の位置に停止させることができる。
【００４７】
（本実施形態の効果）
以上説明したように、本実施形態によれば、スクリーン１１０の端部に配置されたボトムレール１２０の両端部にのみ磁石１２２を内蔵し、ガイドレール１３０と吸着するようにした。また、スクリーン１１０は非磁性材料からなりガイドレール１３０と吸着しない。このようにして、操作荷重が重くならずスクリーン１１０を円滑に開閉させることができる。
【００４８】
また、ガイドレール１３０は非磁性材料からなり、ガイドレール１３０には、第１磁性体１３４が長手方向の所定箇所に設けられており、磁石１２２と対向する位置にのみ、第１磁性体１３４を配置したため、ボトムレール１２０の停止位置を任意に設定することができる。
【００４９】
また、ボトムレール１２０にはグリップ１２３が取着されており、ボトムレール１２０とガイドレール１３０とが吸着した状態でグリップ１２３を傾倒させると、磁石１２２が連動して傾倒することで、ボトムレール１２０とガイドレール１３０との吸着が解除されるようにしたので、グリップ１２３を傾倒させるだけで、ボトムレール１２０とガイドレール１３０との吸着を解除できるため、スクリーン１１０を開閉可能な状態に容易に移行できる。
【００５０】
また、ガイドレール１３０内には、第１磁性体１３４を保持する保持部１３０ｂがガイドレール１３０の長手方向に沿って設けられるようにした。このように、ガイドレール１３０内に長手方向に沿って保持部１３０ｂを設けることで、第１磁性体１３４を保持部１３０ｂに保持させるだけでガイドレール１３０内に配置することができる。
【００５１】
また、第１磁性体１３４は、保持部１３０ｂの先端部よりもボトムレール１２０が挿入される空間ＳＰの方向に突出するようにした。第１磁性体１３４を保持部１３０ｂの先端部よりも突出させることで、ボトムレール１２０との間の吸着力を安定的なものとすることができる。
【００５２】
また、保持部１３０ｂは、ガイドレール１３０内のボトムレール１２０が挿入される空間ＳＰに対して対称位置に２か所設けられるようにした。このため、ボトムレール１２０の両端で同じ構成を採用する際に、ガイドレール１３０内の保持部１３０ｂの構成を共通にすることができ、部品の種類を減らせる。また、第１磁性体１３４を保持する側の保持部１３０ｂを手前側と奥側で選択できるようにすることで、磁石１２２と第１磁性体１３４の距離を変化させて磁力の強弱を調整することで、製品サイズに応じた吸着力を選択することができる。
【００５３】
また、ボトムレール１２０の少なくとも一端部には、非磁性体からなるキャップ１２１が固定され、キャップ１２１には、磁石１２２が内蔵されるようにした。キャップ１２１内の磁石１２２がキャップを介して第１磁性体１３４と吸着するため、開閉時に非磁性体のキャップ１２１が第１磁性体１３４に接触しながら開閉することになり、吸着力を受けながらも操作力が軽減される。
【００５４】
また、ガイドレール１３０の長手方向の端部には、第２磁性体１３６がガイドレール１３０の長手方向に直交して配置され、ボトムレール１２０が閉塞位置に到達すると、ボトムレール１２０とガイドレール１３０とが、第２磁性体１３６により吸着される。このように、ガイドレール１３０の端部における第１磁性体１３４が配置される面と直交する面に、第２磁性体１３６を設けることで、スクリーン１１０を閉塞位置に確実に保持することができる。
【００５５】
また、ボトムレール１２０の少なくとも一端部には、非磁性体からなるキャップ１２１が固定され、キャップ１２１には、磁石１２２と、磁石１２２に吸着される継鉄１２６とが内蔵され、キャップ１２１のスクリーン１１０閉塞側端面には、継鉄１２６が突出する継鉄用開口部１２１ｅが設けられ、ボトムレール１２０が閉塞位置に到達すると、継鉄１２６が第２磁性体１３６と吸着するようにした。磁石１２２に吸着される継鉄１２６が、キャップ１２１の継鉄用開口部１２１ｅから突出するように配置されるため、スクリーン１１０の閉塞位置における第２磁性体１３６との吸着を確実なものとすることができ、吸着の解除も容易になる。
【００５６】
また、継鉄１２６はキャップ１２１内においてスクリーン１１０の開閉方向に摺動自在に保持されており、スクリーン１１０が閉塞位置に到達すると、継鉄１２６はキャップ１２１の内方に移動するようにした。ボトムレール１２０が閉塞位置に到達したときに継鉄１２６がキャップ１２１の内方に移動できるため、ボトムレール１２０を固定面（閉塞側面）により接近させて吸着させることができ、閉塞位置における固定面との隙間の発生を防止し、ボトムレールの両端を閉塞位置にて確実に吸着させることができる。
【００５７】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５８】
例えば、上記実施形態では、遮蔽材の開閉停止機構は、ロールスクリーン１００に適用されるものとしたが、本発明はこの例に限定されない。例えば、プリーツスクリーン、ハニカムスクリーン、横型ブラインド、アコーデオンドアなどに適用してもよく、遮蔽材の開閉方向も上下方向のみならず左右方向に開閉するものであってしてもよい。
【００５９】
また、上記実施形態では、ボトムレール１２０に設けた磁石１２２とガイドレール１３０に設けた第１磁性体１３４とが吸着して、スクリーン１１０の開閉を停止する構成としたが、本発明はこの例に限定されない。ボトムレール１２０とガイドレール１３０とはたがいに磁力で吸着する構成であればよい。例えば、ボトムレールやガイドレール自体の両方又は片方が磁石や磁性体で構成されていてもよい。
【００６０】
また、上記実施形態では、ガイドレール１３０内に、長手方向全長にわたって第１磁性体１３４を設ける構成としたが、本発明はこの例に限定されない。第１磁性体はガイドレールの長手方向の所定箇所に設けられる構成とすればよい。
【００６１】
また、上記実施形態では、第１磁性体１３４を断面六角形状のシャフトとしたが、本発明はこの例に限定されない。第１磁性体は任意の形状に設計することができ、例えば断面四角形状、断面五角形状、断面八角形状、あるいは断面凸形状などであってもよい。
【００６２】
また、上記実施形態では、ガイドレール１３０の長手方向に沿って設けた保持部１３０ｂによって第１磁性体１３４を保持する構成としたが、本発明はこの例に限定されない。ガイドレールの長手方向に沿って第１磁性体が設けられる構成であれば、例えば、ガイドレールに接着材などで第１磁性体を固定してもよい。
【００６３】
また、上記実施形態では、ガイドレール１３０内には、第１磁性体１３４を保持する保持部１３０ｂが長手方向全長にわたって形成される構成としたが、本発明はこの例に限定されない。保持部はガイドレールの長手方向に沿って設けられる構成であれば、保持部は任意の位置、長さ、数で設ければよい。
【００６４】
また、上記実施形態では、保持部１３０ｂは、先端が互いに近づく対向する２つの片によって構成され、２つの片の間に構成される溝に第１磁性体１３４を保持するが、本発明はこの例に限定されない。保持部は第１磁性体を保持することができる構成であれば、必ずしも溝でなくてもよい。
【００６５】
また、上記実施形態では、保持部１３０ｂは、２つの片の先端の間から第１磁性体１３４の一部がキャップ１２１の方向に突出するように保持するが、本発明はこの例に限定されない。第１磁性体が保持部に保持される形態は任意であり、例えば、第１磁性体の先端が保持部の先端と同一となるようにしてもよく、保持部の先端よりも窪んだ位置となるようにしてもよい。
【００６６】
また、上記実施形態では、保持部１３０ｂは、ガイドレール１３０内のボトムレール１２０が挿入される空間に対して対称位置に２か所設けられる構成としたが、本発明はこの例に限定されない。保持部はガイドレール内の１か所に設けられようにしてもよく、複数か所に設けられるようにしてもよい。
【００６７】
また、上記実施形態では、ボトムレール１２０の端部には非磁性体からなるキャップ１２１が固定され、キャップ１２１内には磁石１２２が内蔵され、キャップ１２１を介してガイドレール１３０に吸着される構成としたが、本発明はこの例に限定されない。例えば、キャップ内には磁石に代えて磁性体を内蔵してもよく、また、キャップの外部に磁石又は磁性体を固定したり、キャップ自体を磁石又は磁性体で構成したりするなどしてもよい。
【００６８】
また、上記実施形態では、ガイドレール１３０の底部に継鉄１２６と吸着する第２磁性体１３６を設けたが、本発明はこの例に限定されない。第２磁性体は必ずしも設けなくてもよい。
【００６９】
また、上記実施形態では、磁石１２２に吸着する継鉄１２６をキャップ１２１の継鉄用開口部１２１ｅから突出させる構成としたが、本発明はこの例に限定されない。継鉄と第２磁性体とが吸着する構成であれば、継鉄は必ずしも挿通孔から突出していなくてもよい。また、第２磁性体に吸着するものであれば、必ずしも継鉄でなくてもよく、継鉄の代わりに磁石としてもよい。また、１つの磁石が第１磁性体と第２磁性体の両方に吸着する形状にしてもよい。
【００７０】
また、上記実施形態では、継鉄１２６は、キャップ１２１内においてスクリーン１１０の開閉方向に摺動自在に保持されており、ボトムレール１２０が閉塞位置に到達すると、継鉄１２６はキャップ１２１の内方に移動する構成としたが、本発明はこの例に限定されない。継鉄は必ずしも移動する構成としなくてもよい。
【００７１】
上記実施形態、応用例、変形例は、任意に組み合わせて実施することができる。
【符号の説明】
【００７２】
１００  ロールスクリーン（ブラインド）
１１０  スクリーン（遮蔽材）
１２０  ボトムレール（可動部材）
１２０ａ  緩衝材収容部
１２０ｂ  導出口
１２１  キャップ
１２１ａ  基部
１２１ｂ  挿入部
１２１ｃ  開口部
１２１ｄ  収容部
１２１ｅ  継鉄用開口部（補助磁力部用開口部）
１２２  磁石（可動部材側磁力部）
１２３  グリップ（操作部材）
１２４  ボトムレール緩衝材
１２４ａ  移動部
１２４ｂ  シール部
１２５  ねじ
１２６  継鉄（補助磁力部）
１３０  ガイドレール
１３０ａ  挿入口
１３０ｂ  保持部
１３０ｃ  取付け部
１３０ｄ  ねじ穴
１３０ｅ  底部
１３１  ガイドレールキャップ
１３２  第１隙間防止材
１３３  取付け部材
１３４  第１磁性体（ガイドレール側磁力部）
１３５  第２隙間防止材
１３６  第２磁性体（遮蔽材閉塞用磁力部）
１４０  ヘッドボックス
１４２  ブラケット
１４４  巻取パイプ
１４６  上部モヘヤ
１４８  下部モヘヤ
ＳＰ  空間
ＷＦ  窓枠
【図１】
2018131874.tif 000003
【図２】
2018131874.tif 000004
【図３】
2018131874.tif 000005
【図４】
2018131874.tif 000006
【図５】
2018131874.tif 000007
【図６】
2018131874.tif 000008
【図７】
2018131874.tif 000009
【図８】
2018131874.tif 000010
【図９】
2018131874.tif 000011